(57)【要約】  ノイズを抑制して生体を撮像する。  撮像装置（１）は、生体を撮像する本体（５０）と、本体（５０）と着脱自在な支持体（１０）とを備える。撮像装置（１）は、支持体（１０）の指ガイド（１１）および手首ガイド（１２）で生体を支持し、本体（５０）と支持体（１０）が当接する底面側から上面側に向けて本体（５０）から発光した照射光を支持体（１０）で導光し、支持体（１０）の上面側の内壁の所定位置、および端部に設けられた照射部（１７）から生体に向かって導光した照射光を照射し、照射光を照射された生体を本体（５０）で撮像する。
2015114797.tif 000002
【特許請求の範囲】
【請求項１】
生体を撮像する撮像部を有する本体と、
一側で前記本体と当接し、他側で前記撮像部に対して所定位置に前記生体を支持する支持体と、を備え、
前記本体は、前記生体への照射光を発光する発光部を備え、
前記支持体は、
前記一側に前記照射光を入射する入射部と、
前記入射部から前記他側に向けて離間した位置で前記生体に向けて前記照射光を照射する照射部と、
前記入射部から前記照射部に前記照射光を導光する導光部と、を備える、
ことを特徴とする撮像装置。
【請求項２】
前記支持体は、前記一側から前記他側に向かって起立する起立壁を備え、
前記起立壁は、前記入射部と前記導光部と前記照射部とを備えることを特徴とする請求項１に記載の撮像装置。
【請求項３】
前記起立壁は、前記生体を支持する支持部を備えることを特徴とする請求項２に記載の撮像装置。
【請求項４】
前記起立壁は、前記他側側の端面に前記照射部を備えることを特徴とする請求項２に記載の撮像装置。
【請求項５】
前記起立壁は、前記生体を支持する支持部と、前記他側側の端面に前記照射部とを備えることを特徴とする請求項２に記載の撮像装置。
【請求項６】
前記発光部は、前記照射光を直線偏光にして透過する偏光フィルタを備えることを特徴とする請求項１に記載の撮像装置。
【請求項７】
前記支持体は、前記本体と着脱自在であることを特徴とする請求項１に記載の撮像装置。
【請求項８】
前記支持体は、前記撮像部を囲むようにして前記起立壁を備え、
前記起立壁は、外来光を遮断する遮断部を外周面に備えることを特徴とする請求項２乃至請求項７のいずれか一項に記載の撮像装置。
【請求項９】
生体を撮像する撮像部を有する本体と、
一側で前記本体と当接し、他側で前記撮像部に対して所定位置に前記生体を支持する支持体と、
前記撮像部の出力情報に含まれる生体情報を用いて認証をおこなう認証部と、
を備え、
前記本体は、前記生体への照射光を発光する発光部を備え、
前記支持体は、
前記一側に前記照射光を入射する入射部と、
前記入射部から前記他側に向けて離間した位置で前記生体に向けて前記照射光を照射する照射部と、
前記入射部から前記照射部に前記照射光を導光する導光部と、を備える、
ことを特徴とする認証装置。
【発明の詳細な説明】
【技術分野】
【０００１】
本発明は、撮像装置、および認証装置に関する。
【背景技術】
【０００２】
近年、個人を識別可能な生体情報を用いたユーザ認証（生体認証）が普及し始めている。たとえば、認証に利用可能とされる生体情報として、指紋、目の網膜や虹彩、静脈パタン、顔、血管、ＤＮＡ（Deoxyribo Nucleic Acid）などが知られている。生体認証は、あらかじめ生体情報を登録し、照合時に取得した生体情報とあらかじめ登録した生体情報とを照合することで行われる。【０００３】
たとえば、金融機関等では、静脈パタンによる生体認証が行われている。静脈パタンの取得は、撮像装置が生体に対して光を照射し、生体の内部で反射して生体から出射した光をレンズで集光して撮像することで行われる。この時、生体への光の入射角によっては、生体に照射された光が生体の表面で反射し、レンズに集光されてしまうことがある。このような反射光は、ノイズとなり、鮮明な生体情報（静脈パタン）の画像の撮像を妨げる場合があった。【０００４】
たとえば、特許文献１では、光源から出射された光を指の特定の部位に光を照射して生体情報を取得するシステムが開示されている。開示のシステムによれば、指の特定の部位に光を照射することで、指表面で反射した光等のノイズがレンズに集光されることを抑制して生体を撮像できる。
【先行技術文献】
【特許文献】
【０００５】
【特許文献１】特開２０１１−２１５６６５号公報
【発明の概要】
【発明が解決しようとする課題】
【０００６】
しかしながら、開示のシステムは、生体情報の撮像時の生体の姿勢によっては、生体の特定の部位に光を照射できない場合があった。その結果、開示のシステムは、指表面で反射した光等のノイズがレンズに集光されることによって生体を撮像できなくなる場合があった。【０００７】
本発明は、この点に鑑みてなされたものであり、ノイズを抑制して生体を撮像可能な撮像装置、および認証装置の提供を目的とする。
【課題を解決するための手段】
【０００８】
上記目的を達成するために、撮像装置は、生体を撮像する撮像部を有する本体と、一側で本体と当接し、他側で撮像部に対して所定位置に生体を支持する支持体とを備える。本体は、発光部を備える。発光部は、生体への照射光を発光する。支持体は、入射部と照射部と導光部とを備える。入射部は、一側に照射光を入射する。照射部は、入射部から他側に向けて離間した位置で生体に向けて照射光を照射する。導光部は、入射部から照射部に照射光を導光する。【０００９】
また、上記目的を達成するために、認証装置は、生体を撮像する撮像部を有する本体と、一側で本体と当接し、他側で撮像部に対して所定位置に生体を支持する支持体と、撮像部の出力情報に含まれる生体情報を用いて認証をおこなう認証部とを備える。本体は、発光部を備える。発光部は、生体への照射光を発光する。支持体は、入射部と照射部と導光部とを備える。入射部は、一側に照射光を入射する。照射部は、入射部から他側に向けて離間した位置で生体に向けて照射光を照射する。導光部は、入射部から照射部に照射光を導光する。
【発明の効果】
【００１０】
撮像装置、および認証装置によれば、ノイズを抑制して生体を撮像できる。
本発明の上記および他の目的、特徴および利点は本発明の例として好ましい実施の形態を表す添付の図面と関連した以下の説明により明らかになるであろう。
【図面の簡単な説明】
【００１１】
【図１】第一実施形態における撮像装置の外観を示す斜視図である。
【図２】第一実施形態における撮像装置の分解斜視図である。
【図３】第一実施形態における本体の上視透視図である。
【図４】第一実施形態における本体の断面図である。
【図５】第一実施形態における後方壁の断面図である。
【図６】第一実施形態における撮像装置の断面図である。
【図７】第一実施形態における撮像装置の上視透視図である。
【図８】第二実施形態における後方壁の断面図である。
【図９】第三実施形態における撮像装置の断面図である。
【図１０】第三実施形態における本体の上視透視図である。
【図１１】第四実施形態における本体の上視透視図である。
【図１２】第四実施形態における撮像装置の上視透視図である。
【図１３】第五実施形態における撮像装置の外観図である。
【図１４】第六実施形態における撮像装置の斜視図である。
【図１５】第六実施形態における撮像装置の断面図である。
【図１６】第七実施形態における撮像装置の適用例を示す図である。
【発明を実施するための形態】
【００１２】
以下、図面を参照して実施の形態について説明する。
［第一実施形態］
まず、第一実施形態の撮像装置について、図１、図２を用いて説明する。図１は、第一実施形態における撮像装置の外観を示す斜視図である。図２は、第一実施形態における撮像装置の分解斜視図である。
【００１３】
撮像装置１は、生体を撮像する装置である。撮像装置１が撮像対象とする生体は、手のひらであり、特に手のひらにある静脈像を撮像対象とする。撮像装置１は、たとえば、金融機関の自動預払装置等に設置される。
【００１４】
撮像装置１は、被写体となる生体（手のひら）からの近赤外線の反射光を撮像する。静脈に流れる赤血球の中のヘモグロビンは、酸素を失っていることから、このヘモグロビン（還元ヘモグロビン）は、７００ナノメートル〜１０００ナノメートル付近の近赤外線を吸収する性質がある。そのため、手のひらに近赤外線を当てると、静脈がある部分だけ反射が少なく、静脈の位置は、近赤外線の反射光の強弱により認識可能となる。撮像装置１による撮像画像は、特定の光源を用いることにより特徴的な情報の抽出が容易になるが、無彩色の画像となる。
【００１５】
撮像装置１は、生体を撮像する本体５０と、本体５０と着脱自在な支持体１０とを備える。撮像装置１は、支持体１０で生体を支持し、本体５０から発光した照射光を支持体１０で導光し、導光した照射光を支持体１０から生体に向かって照射し、照射光を照射された生体を撮像する。なお、支持体１０は、本体５０に固定されていてもよい。
【００１６】
本体５０は、直方体の筐体であり、生体を撮像する撮像部５１と照射光を発光する発光部５２とを収容する。撮像部５１は、支持体１０に支持された生体を撮像対象として臨む方向（撮像方向）で、筐体の中央位置に設けられる。すなわち、撮像部５１は、筐体の上面（以下、筐体上面）側を撮像方向として臨む。発光部５２は、撮像部５１の周囲を筐体に沿って四辺で囲むようにして設けられ、筐体上面側を発光方向とする。
【００１７】
支持体１０は、撮像部５１が生体を安定して撮像可能なように、生体を適切な姿勢に支持可能な形状をしている。支持体１０は、本体５０と当接する下方から上方に向かって拡開した逆四角錐台または直方体の箱形状である。以下、支持体１０は直方体であるとして説明する。支持体１０の底面は、本体５０への装着時に本体５０の筐体上面の周縁に沿って当接し、中央が開口する。支持体１０は、生体を支持する上面を開放する。支持体１０は、底面と、底面から起立する起立壁（後方壁１３、前方壁１４、２つの側方壁１５）とで形成される。
【００１８】
後方壁１３は、手首を適切な載置位置に案内する手首ガイド１２を上面側に備える。前方壁１４は、指を適切な載置位置に案内する指ガイド１１を上面側に備える。これら手首ガイド１２および指ガイド１１によって、支持体１０は、適切な位置、姿勢（正位置）で生体を支持することができる。
【００１９】
支持体１０は、後方壁１３と前方壁１４と２つの側方壁１５の底面側に、当接ガイド１６を備える。当接ガイド１６は、支持体１０の本体５０への装着時に、本体５０の正位置に支持体１０を案内して、本体５０に対する支持体１０の前後左右方向の移動を規制する。
【００２０】
なお、当接ガイド１６は、本体５０と支持体１０を装着する際に当接ガイド１６の直下に異物がある場合、本体５０に支持体１０を装着する担当者に、異物の存在を知らしめることができる。なお、当接ガイド１６は、後方壁１３と前方壁１４と２つの側方壁１５の底面側の全周に備えてなくてもよい。たとえば、当接ガイド１６は、対角に位置する２つの角にＬ字状に形成されるなど、全周のうちの一部に備えられるものであってもよい。
【００２１】
また、支持体１０は、透明な材質（たとえば、アクリルなどの樹脂や、ガラス）により形成されており、後方壁１３と前方壁１４と２つの側方壁１５とは導光体として機能する。
【００２２】
また、支持体１０は、上面側で支持する生体に向けて照射光を照射する照射部１７を備える。照射部１７は、後方壁１３と前方壁１４と２つの側方壁１５の内周面（箱形状の内部側の面）の上面側の所定位置、および後方壁１３と前方壁１４と２つの側方壁１５の上面に設けられる。照射部１７については、後で図５を用いて詳細に説明する。
【００２３】
次に、本体５０の内部の構造について図３、図４を用いて説明する。図３は、第一実施形態における本体の上視透視図である。図４は、第一実施形態における本体の断面図であり、図３の本体５０をｙ−ｙ線で切断した断面図である。
【００２４】
本体５０は、筐体の内部にレンズ８７と、撮像素子８８と、ＬＥＤ（Light Emitting Diode）７１〜７８と、偏光フィルタ７９〜８２と、導光体８３〜８６とを収容する。なお、レンズ８７と、撮像素子８８とは、撮像部５１を構成する構成要素である。撮像素子８８は、レンズ８７を介して撮像対象を臨む。ＬＥＤ７１〜７８と、偏光フィルタ７９〜８２と、導光体８３〜８６とは、発光部５２を構成する構成要素である。ＬＥＤ７１〜７８の出射光は、それぞれ偏光フィルタ７９〜８２、導光体８３〜８６を経て筐体上面から出射する。
【００２５】
撮像素子８８は、筐体の中央に設けられる。撮像素子８８は、筐体上面側に設けられたレンズ８７を通して生体を撮像する。
ＬＥＤ７１〜７８は、撮像素子８８の周囲を四辺で囲み、各辺に２個ずつ設けられる。ＬＥＤ７１、７２、７５、７６は、筐体の左右方向の辺に沿って設けられる。ＬＥＤ７３、７４、７７、７８は、筐体の上下方向の辺に沿って設けられる。なお、本体５０に設けられるＬＥＤの個数は、一例であってこれに限らない。ＬＥＤ７１〜７８は、生体への照射光を筐体上面側に出射する。
【００２６】
偏光フィルタ７９〜８２は、ＬＥＤの筐体上面側に設けられる。偏光フィルタ７９は、ＬＥＤ７１とＬＥＤ７２の筐体上面側に設けられる。偏光フィルタ８０は、ＬＥＤ７３とＬＥＤ７４の筐体上面側に設けられる。偏光フィルタ８１は、ＬＥＤ７５とＬＥＤ７６の筐体上面側に設けられる。偏光フィルタ８２は、ＬＥＤ７７とＬＥＤ７８の筐体上面側に設けられる。なお、偏光フィルタは、ＬＥＤと一対一で対応するようにＬＥＤ毎に設けてもよい。
【００２７】
偏光フィルタ７９〜８２は、所定の方向の振動成分を有する直線偏光にして入射した照射光を透過する。偏光フィルタ７９、８１の透過軸は、図３の上下方向である。したがって、偏光フィルタ７９、８１は、図３の左右方向の振動成分を有する直線偏光にして入射した照射光を透過する。偏光フィルタ８０、８２の透過軸は、図３の左右方向である。したがって、偏光フィルタ８０、８２は、図３の上下方向の振動成分を有する直線偏光にして入射した照射光を透過する。
【００２８】
導光体８３〜８６は、偏光フィルタの筐体上面側に設けられる。導光体８３〜８６は、上端が筐体上面の周縁に沿うように設けられる。導光体８３は、偏光フィルタ７９の筐体上面側に設けられる。導光体８４は、偏光フィルタ８０の筐体上面側に設けられる。導光体８５は、偏光フィルタ８１の筐体上面側に設けられる。導光体８６は、偏光フィルタ８２の筐体上面側に設けられる。
【００２９】
導光体８３〜８６は、内部に入射した照射光を筐体上面側に導光し、筐体上面側の端部から筐体上面に向かって出射する。また、筐体上面８９は、カバーガラス等の光を透過する材質により形成されている。これにより、発光部５２は、筐体上面の周縁から照射光を発光できる。
【００３０】
なお、発光部５２は、ＬＥＤと偏光フィルタと導光体とから構成されるとして説明したがこれに限らない。たとえば、発光部５２は、ＬＥＤのみで構成されていてもよい。この場合には、本体５０は、ＬＥＤを筐体上面８９の近傍に設けるとよい。なお、偏光フィルタは、導光体よりも筐体上面側に設けられていてもよい。また、偏光フィルタは、レンズ８７の上方にも設けられていてもよい。
【００３１】
次に照射部１７の形状について説明する。図５は、第一実施形態における後方壁の断面図であり、図１のｘ−ｘ線で切断した撮像装置１のうちの後方壁１３に相当する断面図である。
【００３２】
照射部１７は、後方壁１３の上面側の内周面の所定位置、および後方壁１３の上端に設けられる。すなわち、照射部１７は、後方壁１３の底面側から上面側に離間した位置に設けられる。照射部１７は、底面側から導光した光を出射可能な出射部１８、１９、２０を備える。出射部１８、１９は、後方壁１３の内周面に形成された切り欠き面である。出射部２０は、後方壁１３の上面である。出射部１８、１９、２０に入射した照射光のうち、全反射条件を満たさなくなった照射光が出射部１８、１９、２０から出射する。
【００３３】
たとえば、出射部１８が後方壁１３の内周面から５°傾いている場合（傾斜角が５°である場合）には、出射部１８は、後方壁１３の内部で全反射しながら導光された照射光のうち５°分の（５°の傾きによって全反射条件を満たさなくなった）照射光を出射する。
【００３４】
なお、出射部１８、１９、２０は一例であってこれに限らない。たとえば、照射部１７は、出射部の個数や、出射部の形状や、出射部の形成間隔を変えることで生体への照射光の照射様態を調節することができる。たとえば、照射部１７は、出射部の傾斜の長さ、出射部の形成間隔を変えることで各出射部から照射される照射光の光量を調節できるし、出射部の傾斜角度を変えることで出射部から照射される照射光の角度や生体への入射位置を調節することができる。
【００３５】
また、照射部１７は、出射部の形状や、出射部の形成間隔などを、出射部毎に変えることで生体への照射光の照射様態を調節することができる。また、照射部１７は、後方壁１３の内周面全域に形成されていてもよい。
【００３６】
なお、照射部１７は、出射部１８、１９、２０のすべてを備えるものに限らず、出射部１８、１９、または、出射部２０のいずれか一方を備えるものであってもよい。なお、代表して後方壁１３における照射部１７について説明したが、前方壁１４および２つの側方壁１５についても同様である。このとき、撮像装置１は、後方壁１３、前方壁１４および２つの側方壁１５のそれぞれで照射様態を異ならせるものであってもよい。
【００３７】
次に照射光の導光および導光した照射光の照射について図６、図７を用いて説明する。図６は、第一実施形態における撮像装置の断面図であり、生体を載置した図１の撮像装置１をｘ−ｘ線で切断した断面図である。図７は、第一実施形態における撮像装置の上視透視図である。以下、後方壁１３、前方壁１４、２つの側方壁１５のうち代表して後方壁１３を用いて照射光の導光、および照射光の照射について説明する。
【００３８】
図６に示すように、ＬＥＤ７３は、照射光１１０を発光する。ＬＥＤ７３が発光した照射光１１０は、振動方向が図６の左右方向（図７の矢印方向、後方壁の厚み方向）である直線偏光となり偏光フィルタ８０から透過する。直線偏光となった照射光１１０は、導光体８４の下端部（ＬＥＤ７３側の端部）から導光体８４の内部に入射する。導光体８４の内部に入射した照射光１１０は、導光体８４の内部を全反射しながら筐体上面８９側に導光される。
【００３９】
導光体８４の内部を全反射しながら筐体上面８９側に導光された照射光１１０は、導光体８４の筐体上面８９側の端部から出射される。導光体８４の筐体上面８９側の端部から出射された照射光１１０は、筐体上面８９を透過して本体５０の外部に出射される。本体５０の外部に出射した照射光１１０は、筐体上面８９を挟んで導光体８４の上面と対向する後方壁１３の底面側の端部から後方壁１３の内部に入射する。
【００４０】
後方壁１３の内部に入射した照射光１１０は、後方壁１３の内部で全反射しながら底面側から上面側に向けて導光される。底面側から上面側に向けて後方壁１３の内部で導光された照射光１１０は、照射部１７から生体１００に向けて照射される。
【００４１】
生体１００に向けて照射された照射光１１０は、一部が生体１００の内部に入射する。また生体１００に向けて照射された照射光１１０は、一部が生体の撮像の妨げとなる反射光１１１（ノイズ、表面反射光）となる。生体表面で反射した反射光１１１は、レンズ８７の外側に照射される。生体１００の内部に入射した照射光１１０は、生体１００の内部で散乱し、生体１００から出射してレンズ８７に入射する。そして、撮像部５１は、レンズ８７に入射した照射光１１０により生体を撮像する。
【００４２】
このように、撮像装置１は、ＬＥＤ７３から出射した照射光を、後方壁１３の底面側の端部から入射し、後方壁１３の底面側から上面側に向けて導光し、照射部１７から生体１００に向けて照射する。したがって、撮像装置１は、発光部５２から生体１００に向けて照射光を直接照射する場合よりも生体１００に近い位置から生体１００に照射光を照射することができる。これにより、撮像装置１は、発光部５２から直接照射した場合よりも生体表面への入射角が大きい照射光を、生体１００の所定の位置に向けて照射することができる。
【００４３】
このように、本体５０から生体表面に照射光を照射する場合よりも大きい入射角で生体表面へ照射光を照射することで、撮像装置１は、生体表面で反射した反射光がレンズ８７に入射することを抑止できる。これにより、撮像装置１は、ノイズを抑制して生体を撮像できる。このようにして、撮像装置１は、生体から生体情報を好適に取得可能な撮像情報を得ることができる。
【００４４】
また、生体１００を正位置で支持する支持体１０は、照射部１７から生体に向けて所定の照射光を照射する。これによれば、撮像装置１は、たとえば、本体５０に装着する支持体１０を生体１００に応じて異なる形状の支持体（図示せず）に変更した場合に、生体１００の正位置の支持と、生体１００に向けた好適な照射光の照射とを両立できる。
【００４５】
なお、偏光フィルタ８０から透過した照射光１１０は、振動方向が生体１００の入射面に対して平行な振動方向（図６の左右方向、図７の矢印方向、後方壁１３の厚み方向）の直線偏光（Ｐ波）になる。このような入射面に対して平行な振動方向の直線偏光（Ｐ波）は、入射面に対して平行な振動方向の直線偏光（Ｓ波）に比べて反射率が小さいため、反射光の光量を減らすことができる。これにより、撮像装置１は、ノイズを抑止して生体を撮像できる。
【００４６】
なお、入射面に対して平行な振動方向の直線偏光（Ｐ波）は、入射面への入射角がブリュースター角になる場合には、反射率が０になる。したがって、撮像装置１は、生体表面への入射角がブリュースター角になるように照射光を照射することで、ノイズをより抑制して生体を撮像できる。
【００４７】
なお、撮像装置１は、後方壁１３と前方壁１４と２つの側方壁１５の外周面の一部を、赤外反射フィルム、または赤外吸収フィルムでコーティングしてもよい。撮像装置１は、赤外反射フィルム、または赤外吸収フィルムでコーティングすることで、支持体１０の外周面側から赤外光（反射光以外のノイズ）がレンズ８７に入射することを抑止できる。これにより撮像装置１は、ノイズを抑制して生体１００を撮像できる。
【００４８】
なお、支持体１０は、照射光を全反射させて導光すると説明したがこれに限らない。たとえば、支持体１０は、鏡等により鏡面反射させて照射光を導光してもよい。
なお、代表して後方壁１３における照射光の導光および照射について説明したが、前方壁および２つの側方壁１５についても同様である。
【００４９】
［第二実施形態］
次に照射部の変形例について図８を用いて説明する。図８は、第二実施形態における後方壁の断面図であり、図５と同様の切り口で第２実施形態の後方壁を切断した断面図である。なお、第二実施形態は、照射部以外については、第一実施形態と同様の構成とすることができる。なお、第一実施形態と同様の構成については同様の符号を付けて説明する。
【００５０】
照射部１２１は、後方壁１２０の上面側の内周面の所定位置、および後方壁１２０の上端に設けられる。すなわち、照射部１２１は、後方壁１２０の底面側から上面側に離間した位置に設けられる。照射部１２１は、底面側から導光した照射光を出射可能な出射部１２２、１２３、１２４を備える。出射部１２２、１２３は、後方壁１２０の内周面に形成された凹凸であり、後方壁１２０の内部を導光された照射光を散乱させて出射する。出射部１２４は、後方壁１２０の上面に形成された凹凸であり、後方壁１２０の内部を導光された照射光を散乱させて出射する。凹凸は、後方壁１２０の表面に溝や突起により形成される。なお、凹凸は、照射光散乱手段の一例であって、反射ドットのシルク印刷などであってもよい。出射部１２２、１２３、１２４に入射した照射光のうち、全反射条件を満たさなくなった照射光は、出射部１２２、１２３、１２４から出射する。
【００５１】
なお、出射部１２２、１２３、１２４は、一例であってこれに限らない。たとえば、照射部１２１は、出射部の個数や、出射部の形状や、出射部の形成間隔を変えることで生体への照射光の照射様態を調節することができる。
【００５２】
また、照射部１２１は、出射部の形状や、出射部の形成間隔を出射部毎に変えることで生体への照射光の照射様態を調節することができる。また、照射部１２１は、後方壁１２０の全域に形成されてもよい。
【００５３】
なお、照射部１２１は、出射部１２２、１２３、１２４のすべてを備えるものに限らず、出射部１２２、１２３、または、出射部１２４のいずれか一方を備えるものであってもよい。なお、代表して後方壁１２０における照射部１２１について説明したが、図示しない前方壁および２つの側方壁についても同様である。このとき、撮像装置は、後方壁１２０、前方壁、および２つの側方壁のそれぞれで照射様態を異ならせるものであってもよい。なお、第二実施形態と第一実施形態の出射部の形状を適宜組み合わせることができる。
【００５４】
なお、代表して後方壁１２０における照射光の導光および照射について説明したが、前方壁および２つの側方壁も同様にして照射光の導光および照射をすることができる。
［第三実施形態］
第一実施形態では、撮像装置１は、当接ガイド１６により支持体１０と本体５０とを正位置に装着可能にした。一方で第三実施形態では、撮像装置は、当接ガイド１６に加え、後方壁、前方壁、２つの側方壁の底面側の端部に形成した凹部と、筐体上面に形成した凸部とを篏合することで本体に対する支持体の前後左右方向の移動を規制して、本体の正位置に支持体を案内する。
【００５５】
なお、当接様態以外については第一実施形態と同様である。支持体と本体との当接様態の変形例について図９、図１０を用いて説明する。図９は、第三実施形態における撮像装置の断面図であり、図６と同様の切り口で第三実施形態の撮像装置を切断した断面図である。図１０は、第三実施形態の本体の上視透視図である。なお、第一実施形態、第二実施形態と同様の構成については同様の符号を付けて説明する。
【００５６】
撮像装置１３０は、支持体１４０と本体１５０とを備える。本体１５０は、筐体上面１５１の４隅に凸部１５２〜１５５を備える。凸部１５２〜１５５は、導光体８３〜８６と重ならないように４隅に設けられる。重ならないように４隅に設けることで、凸部１５２〜１５５は、照射光に（屈折等の）影響を及ぼさない。なお、凸部１５２〜１５５は、４隅すべてに設けられることに限らない。また、凸部１５２〜１５５は、筐体上面１５１の周縁に沿って設けられていてもよい。
【００５７】
支持体１４０は、後方壁１４１と、前方壁１４２と、図示しない２つの側方壁を備える。後方壁１４１と図示しない一方の側方壁との底面側の端部の交点には、支持体１４０を本体１５０の正位置に案内して凸部１５３と嵌合する凹部１４３が設けられる。また、後方壁１４１と図示しない他方の側方壁との底面側の端部の交点には、支持体１４０を本体１５０の正位置に案内して凸部１５４と嵌合する図示しない凹部が設けられる。
【００５８】
前方壁１４２と図示しない一方の側方壁との底面側の端部の交点には、支持体１４０を本体１５０の正位置に案内して凸部１５２と嵌合する凹部１４４が設けられる。また、前方壁１４２と図示しない他方の側方壁との底面側の端部の交点には、支持体１４０を本体１５０の正位置に案内して凸部１５５と嵌合する図示しない凹部が設けられる。
【００５９】
これによれば、凹部と凸部とは、支持体１４０の本体１５０への装着時に、本体１５０の正位置に支持体１４０を案内して、本体１５０に対する支持体１４０の前後左右方向の移動を規制する。なお、支持体１４０に凸部が形成され、本体１５０に凹部が形成されてもよい。
【００６０】
［第四実施形態］
第一実施形態では、発光部５２は、撮像部５１の周囲を筐体に沿って四辺で囲んで設けられた。一方、第四実施形態では、発光部は、上記四辺のうちの対向する二辺に設けられる。第四実施形態の発光部について図１１、図１２を用いて説明する。図１１は、第四実施形態における本体の上視透視図である。図１２は、第四実施形態における撮像装置の上視透視図である。なお、第一実施形態から第三実施形態と同様の構成については同様の符号を付けて説明する。撮像装置１６０は、本体１７０と支持体１０を備える。
【００６１】
本体１７０は、レンズ８７と、撮像素子８８と、偏光フィルタ１７９と、ＬＥＤ１７１〜１７４と、偏光フィルタ１７５、１７６と、導光体１７７、１７８とを収容する。
レンズ８７、撮像素子８８、偏光フィルタ１７９とは撮像部を構成する構成要素である。撮像素子８８は、レンズ８７、偏光フィルタ１７９を介して撮像対象を臨む。ＬＥＤ１７１〜１７４と、偏光フィルタ１７５、１７６と、導光体１７７、１７８とは、発光部を構成する構成要素である。ＬＥＤ１７１〜１７４の出射光は、それぞれ偏光フィルタ１７５、１７６、導光体１７７、１７８を経て筐体上面から出射する。
【００６２】
ＬＥＤ１７１〜１７４は、撮像素子８８を二辺で挟み、各辺に２個ずつ設けられる。ＬＥＤ１７１〜１７４は、筐体の左右方向の辺に沿って設けられる。ＬＥＤ１７１〜１７４は、生体への照射光を筐体上面側に出射する。なお、本体１７０に設けられるＬＥＤの個数は、一例であってこれに限らない。
【００６３】
偏光フィルタ１７５、１７６は、ＬＥＤの筐体上面側に設けられる。偏光フィルタ１７５は、ＬＥＤ１７１とＬＥＤ１７２の筐体上面側に設けられる。偏光フィルタ１７６は、ＬＥＤ１７３とＬＥＤ１７４の筐体上面側に設けられる。なお、偏光フィルタは、ＬＥＤと一対一で対応するようにＬＥＤ毎に設けてもよい。
【００６４】
偏光フィルタ１７５、１７６は、所定の方向の振動成分を有する直線偏光にして入射した照射光を透過する。偏光フィルタ１７５、１７６の透過軸は、図１１の上下方向（図１２の矢印方向）である。したがって、偏光フィルタ１７５、１７６は、図１１の上下方向の振動成分（図１２の矢印方向）を有する直線偏光にして入射した照射光を透過する。
【００６５】
導光体１７７、１７８は、偏光フィルタの筐体上面側に設けられる。導光体１７７は、偏光フィルタ１７５の筐体上面側に設けられる。導光体１７８は、偏光フィルタ１７６の筐体上面側に設けられる。このような発光部によれば、振動方向が生体１００の入射面に対して平行（図１１の上下方向、図１２の矢印方向）な照射光を生体１００に照射することができる。
【００６６】
偏光フィルタ１７９は、レンズ８７の筐体上面側に設けられる。偏光フィルタ１７９の透過軸は、偏光フィルタ１７５、１７６と直交する向き（図１２の左右方向）である。これによれば、偏光フィルタ１７９は、図１２の矢印方向の振動方向を有する反射光を遮断する。したがって、偏光フィルタ１７９は、生体表面で反射し、振動方向が保存された反射光を遮断できる。これにより、撮像装置１６０は、ノイズを抑制して生体１００を撮像できる。このようにして、撮像装置１６０は、生体１００から生体情報を好適に取得可能な撮像情報を得ることができる。
【００６７】
なお、発光部は、撮像素子８８を二辺で挟むように設けられるとして説明したがこれに限らず、上記二辺のうちの一辺にのみに設けられていてもよい。
［第五実施形態］
次に支持体の変形例について図１３を用いて説明する。図１３は、第五実施形態における撮像装置の外観図である。なお、第一実施形態から第四実施形態と同様の構成については同様の符号を付けて説明する。
【００６８】
撮像装置１９０は、支持体１９１と本体５０とを備える。支持体１９１は、底面から起立する後方壁１３と前方壁１４と２つの側方壁１９２とを備える。側方壁１９２は、後方壁１３および前方壁１４より低い高さで形成される。
【００６９】
たとえば、２つの側方壁１９２の照射部１７は、側方壁１９２の上面だけに設けられる。後方壁１３の照射部１７は、後方壁１３の上面側の内周面の所定位置、および後方壁１３の上面に設けられる。前方壁１４の照射部１７は、前方壁１４の上面側の内周面の所定位置、および前方壁１４の上面に設けられる。
【００７０】
このような支持体１９１によれば、撮像装置１９０は、本体５０が発光した照射光を、後方壁１３、前方壁１４、２つの側方壁１９２の底面側の端部から入射し、底面側から上面側に向かって導光し、照射部１７から生体１００に向けて照射する。したがって撮像装置１９０は、発光部５２から生体１００に向けて照射光を直接照射する場合よりも生体１００に近い位置から生体１００に向けて照射光を照射することができる。これにより、撮像装置１９０は、発光部５２から直接照射した場合よりも生体表面への入射角が大きい照射光を、生体１００の所定の位置に向けて照射することができる。
【００７１】
このように、本体５０から生体表面に照射光を照射する場合よりも大きい入射角で生体表面へ照射光を照射することで、撮像装置１９０は、生体表面で反射した反射光がレンズ８７に入射することを抑止できる。これにより、撮像装置１９０は、ノイズを抑制して生体１００を撮像できる。このようにして、撮像装置１９０は、生体１００から生体情報を好適に取得可能な撮像情報を得ることができる。
【００７２】
なお、２つの側方壁１９２を取り除き、支持体１９１を底面から起立する後方壁１３と前方壁１４とで形成してもよい。この場合には、第四実施形態で説明した照射光を生体１００に照射することができる。
【００７３】
［第六実施形態］
次に支持体の変形例について図１４、図１５を用いて説明する。図１４は、第六実施形態における撮像装置の斜視図である。図１５は、第六実施形態における撮像装置の断面図であり、図１４の撮像装置をｚ−ｚ線で切断した断面図である。
【００７４】
撮像装置２００は、支持体２１０と本体５０とを備える。支持体２１０は、底面から起立する後方壁２１１と前方壁２１２と２つの側方壁２１３とを備える。また支持体２１０は、後方壁２１１と前方壁２１２と２つの側方壁２１３の底面側の外周面に、当接ガイド２１４を備える。後方壁２１１と前方壁２１２と２つの側方壁２１３と当接ガイド２１４とは、内周面側をアクリル等の透明樹脂（導光体部材）、外周面側をＡＢＳ（Acrylonitrile Butadiene Styrene）樹脂等で形成された２層構造である。
【００７５】
後方壁２１１は、手首を適切な載置位置に案内する手首ガイド２１５を上面側に備える。手首ガイド２１５は、ＡＢＳ樹脂によって形成される。前方壁２１２は、指を適切な載置位置に案内する指ガイド２１６を上面側に備える。指ガイド２１６は、ＡＢＳ樹脂によって形成される。なお、手首ガイド２１５および指ガイド２１６は、透明樹脂とＡＢＳ樹脂の２層構造であってもよい。
【００７６】
このように後方壁２１１と前方壁２１２と２つの側方壁２１３と当接ガイド２１４とが２層構造で形成されるため、支持体２１０は、強度（耐熱性、耐衝撃性等）を高くするとともに、外周面方向から外光がレンズ８７に入射することを抑止できる。これによれば、撮像装置２００は、ノイズを抑制して生体１００を撮像できる。このようにして、撮像装置２００は、生体１００から生体情報を好適に取得可能な撮像情報を得ることができる。
【００７７】
［第七実施形態］
次に、第一実施形態から第六実施形態で説明した撮像装置が用いられる認証システムについて、図１６を用いて説明する。図１６は、第七実施形態における撮像装置の適用例を示す図である。
【００７８】
認証システム５００は、生体の特徴を認識して個人を特定して認証する情報処理システムの１つであり、たとえば、銀行システムなどで顧客の認証をおこなう。認証システム５００は、登録装置５２０、複数の自動預払装置５３０、および認証サーバ５１０などの情報処理装置と、ネットワーク６００を含んで構成される。
【００７９】
認証サーバ５１０は、個人を識別するための識別情報と、生体認証前にあらかじめ登録される照合情報（テンプレート）とを関連付けて記憶する。個人を識別するための識別情報は、利用者に直接的（たとえば、利用者番号）に、あるいは間接的（たとえば、口座番号）に付されたユニークなＩＤ（IDentification）である。
【００８０】
自動預払装置５３０は、金融機関の屋内にあるＡＴＭ（Automated Teller Machine）コーナ５４０や、ＡＴＭブース５５０に、１台または複数台が設置される。自動預払装置５３０は、金融取引に先立ち、利用者を認証する際に、生体認証をおこなう認証装置の１つである。自動預払装置５３０は、ＩＣ（Integrated Circuit）リーダライタ５３１と撮像装置１（１３０、１６０、１９０、２００）を備える。自動預払装置５３０は、ＩＣリーダライタ５３１が利用者のＩＣカード（たとえば、ＩＣチップ内蔵型キャッシュカード）から読み取る識別情報から特定する照合情報と、撮像装置１（１３０、１６０、１９０、２００）が撮像した生体画像から取得する利用者の生体情報とから、利用者の認証をおこなう。
【００８１】
登録装置５２０は、銀行の窓口などに設けられ、係員の指示または操作にしたがい、利用者のテンプレート登録をおこなう装置である。登録装置５２０は、処理装置５２１と、ディスプレイ５２２と、撮像装置１（１３０、１６０、１９０、２００）を含んで構成され、必要に応じてキーボード５２３と、マウス５２４等を含んで構成される。撮像装置１（１３０、１６０、１９０、２００）は、通信インターフェイスを備え登録装置５２０との通信をおこなう。撮像装置１（１３０、１６０、１９０、２００）は、利用者の生体を撮像する。撮像装置１（１３０、１６０、１９０、２００）は、撮像した生体画像から取得した生体情報、または生体情報にもとづいて生成した照合情報を出力する。撮像装置１（１３０、１６０、１９０、２００）は、生体情報、または照合情報を処理装置５２１の記憶部、認証サーバ５１０の記憶部、または利用者のＩＣカードの記憶部のうち少なくともいずれか１つに記録する。
【００８２】
なお、図１６に示す認証システム５００は、撮像装置１（１３０、１６０、１９０、２００）を処理装置５２１と接続して登録装置５２０を構成したが、すでに照合情報がテンプレート登録されている場合、生体情報、または照合情報に基づいて生体認証をおこなう認証装置とすることができる。たとえば、自動預払装置５３０は、センサユニット５３２を撮像装置１（１３０、１６０、１９０、２００）に置き換えることもできる。
【００８３】
なお、実施形態は、認証に用いる生体情報として手のひらの静脈像を撮像対象として例示したが、撮像装置１（１３０、１６０、１９０、２００）は、掌紋を撮像対象とすることもできる。
【００８４】
なお、上述の実施の形態は、実施の形態の要旨を逸脱しない範囲内において種々の変更を加えることができる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００８５】
１、１３０、１６０、１９０、２００  撮像装置
１０、１４０、１９１、２１０  支持体
１１、２１６  指ガイド
１２、２１５  手首ガイド
１３、１２０、１４１、２１１  後方壁
１４、１４２、２１２  前方壁
１５、１９２、２１３  側方壁
１６、２１４  当接ガイド
１７、１２１  照射部
５０、１５０、１７０  本体
５１  撮像部
５２  発光部
【図１】
2015114797.tif 000003
【図２】
2015114797.tif 000004
【図３】
2015114797.tif 000005
【図４】
2015114797.tif 000006
【図５】
2015114797.tif 000007
【図６】
2015114797.tif 000008
【図７】
2015114797.tif 000009
【図８】
2015114797.tif 000010
【図９】
2015114797.tif 000011
【図１０】
2015114797.tif 000012
【図１１】
2015114797.tif 000013
【図１２】
2015114797.tif 000014
【図１３】
2015114797.tif 000015
【図１４】
2015114797.tif 000016
【図１５】
2015114797.tif 000017
【図１６】
2015114797.tif 000018
【手続補正書】
【提出日】平成29年1月10日(2017.1.10)
【手続補正１】
【補正対象書類名】明細書
【補正対象項目名】０００８
【補正方法】変更
【補正の内容】
【０００８】
上記目的を達成するために、撮像装置は、生体を撮像する撮像部を有する本体と、一側で本体と当接し、他側で撮像部に対して所定位置に生体を支持する支持体とを備える。本体は、発光部を備える。発光部は、生体への照射光を発光する。支持体は、一側から他側に向かって起立する起立壁を備える。起立壁は、支持部と入射部と照射部と導光部とを備える。支持部は、他側側に設けられ、生体を支持する。入射部は、一側側に設けられ、照射光を入射する。照射部は、壁面から生体の撮像範囲に向けて照射光を照射する。導光部は、入射部から照射部に照射光を導光する。
【手続補正２】
【補正対象書類名】明細書
【補正対象項目名】０００９
【補正方法】変更
【補正の内容】
【０００９】
また、上記目的を達成するために、認証装置は、生体を撮像する撮像部を有する本体と、一側で本体と当接し、他側で撮像部に対して所定位置に生体を支持する支持体と、撮像部の出力情報に含まれる生体情報を用いて認証をおこなう認証部とを備える。本体は、発光部を備える。発光部は、生体への照射光を発光する。支持体は、一側から他側に向かって起立する起立壁を備える。起立壁は、支持部と入射部と照射部と導光部とを備える。支持部は、他側側に設けられ、生体を支持する。入射部は、一側側に設けられ、照射光を入射する。照射部は、壁面から生体の撮像範囲に向けて照射光を照射する。導光部は、入射部から照射部に照射光を導光する。
【手続補正３】
【補正対象書類名】明細書
【補正対象項目名】００１７
【補正方法】変更
【補正の内容】
【００１７】
支持体１０は、撮像部５１が生体を安定して撮像可能なように、生体を適切な姿勢に支持可能な形状をしている。支持体１０は、本体５０と当接する下方から上方に向かって内部中空エリアを拡大した逆四角錐台または直方体の箱形状である。以下、支持体１０は直方体であるとして説明する。支持体１０の底面は、本体５０への装着時に本体５０の筐体上面の周縁に沿って当接し、中央が開口する。支持体１０は、生体を支持する上面を開放する。支持体１０は、底面と、底面から起立する起立壁（後方壁１３、前方壁１４、２つの側方壁１５）とで形成される。
【手続補正４】
【補正対象書類名】明細書
【補正対象項目名】００６６
【補正方法】変更
【補正の内容】
【００６６】
偏光フィルタ１７９は、レンズ８７の筐体上面側に設けられる。偏光フィルタ１７９の透過軸は、偏光フィルタ１７５、１７６の透過軸と直交する向き（図１２の左右方向）である。これによれば、偏光フィルタ１７９は、図１２の矢印方向の振動方向を有する反射光を遮断する。したがって、偏光フィルタ１７９は、生体表面で反射し、振動方向が保存された反射光を遮断できる。これにより、撮像装置１６０は、ノイズを抑制して生体１００を撮像できる。このようにして、撮像装置１６０は、生体１００から生体情報を好適に取得可能な撮像情報を得ることができる。
【手続補正５】
【補正対象書類名】特許請求の範囲
【補正対象項目名】全文
【補正方法】変更
【補正の内容】
【特許請求の範囲】
【請求項１】
生体を撮像する撮像部を有する本体と、
一側で前記本体と当接し、他側で前記撮像部に対して所定位置に前記生体を支持する支持体と、を備え、
前記本体は、前記生体への照射光を発光する発光部を備え、
前記支持体は、前記一側から前記他側に向かって起立する起立壁を備え、
前記起立壁は、
前記他側側に設けられ、前記生体を支持する支持部と、
前記一側側に設けられ、前記照射光を入射する入射部と、
壁面から前記生体の撮像範囲に向けて前記照射光を照射する照射部と、
前記入射部から前記照射部に前記照射光を導光する導光部と、を備える、
ことを特徴とする撮像装置。
【請求項２】
前記発光部は、前記照射光を直線偏光にして透過する偏光フィルタを備えることを特徴とする請求項１に記載の撮像装置。
【請求項３】
前記支持体は、前記本体と着脱自在であることを特徴とする請求項１に記載の撮像装置。
【請求項４】
前記支持体は、前記撮像部を囲むようにして前記起立壁を備え、
前記起立壁は、外来光を遮断する遮断部を外周面に備えることを特徴とする請求項２乃至請求項３のいずれか一項に記載の撮像装置。
【請求項５】
生体を撮像する撮像部を有する本体と、
一側で前記本体と当接し、他側で前記撮像部に対して所定位置に前記生体を支持する支持体と、
前記撮像部の出力情報に含まれる生体情報を用いて認証をおこなう認証部と、
を備え、
前記本体は、前記生体への照射光を発光する発光部を備え、
前記支持体は、前記一側から前記他側に向かって起立する起立壁を備え、
前記起立壁は、
前記他側側に設けられ、前記生体を支持する支持部と、
前記一側側に設けられ、前記照射光を入射する入射部と、
壁面から前記生体の撮像範囲に向けて前記照射光を照射する照射部と、
前記入射部から前記照射部に前記照射光を導光する導光部と、を備える、
ことを特徴とする認証装置。
【国際調査報告】
2015114797.tif 000019
2015114797.tif 000020
2015114797.tif 000021
2015114797.tif 000022